(57)【要約】【課題】古紙パルプ製造工程における白水改質方法及び古紙パルプ製造方法を提供する。【解決手段】主原料である古紙から古紙パルプを製造する工程における白水改質方法であって、古紙パルプ製造工程の少なくとも一箇所でモノクロラミン及び／又はモノブロラミンを白水に連続添加することを特徴とする白水改質方法。【選択図】図１
2019026959.tif 000002
【特許請求の範囲】
【請求項１】
主原料である古紙から古紙パルプを製造する工程における白水改質方法であって、
古紙パルプ製造工程の少なくとも一箇所でモノクロラミン及び／又はモノブロラミンを白水に連続添加することを特徴とする白水改質方法。
【請求項２】
主原料である古紙から古紙パルプを製造する古紙パルプ製造方法であって、
古紙パルプ製造工程の少なくとも一箇所でモノクロラミン及び／又はモノブロラミンを白水に連続添加することを特徴とする古紙パルプ製造方法。
【請求項３】
モノクロラミン及び／又はモノブロラミンの濃度が、残留塩素量として０．５〜３０ｍｇ／Ｌである請求項１に記載の白水改質方法又は請求項２に記載の古紙パルプ製造方法。
【請求項４】
白水のパルプ濃度が０．０３〜３０％である箇所の少なくとも一箇所でモノクロラミン及び／又はモノブロラミンを白水に連続添加する請求項１若しくは３に記載の白水改質方法又は請求項２若しくは３に記載の古紙パルプ製造方法。
【請求項５】
古紙パルプ製造工程において、白水を供給する白水供給ラインを一つ以上備え、少なくとも一箇所の白水供給ラインでモノクロラミン及び／又はモノブロラミンを白水に連続添加する請求項１、３若しくは４に記載の白水改質方法又は請求項２、３若しくは４に記載の古紙パルプ製造方法。
【請求項６】
一つ以上の白水供給ラインは古紙パルプ製造工程におけるパルパー工程に白水を供給する白水供給ラインを含み、パルパー工程に白水を供給する白水供給ラインでモノクロラミン及び／又はモノブロラミンを白水に連続添加する請求項５に記載の白水改質方法又は請求項５に記載の古紙パルプ製造方法。
【請求項７】
残留塩素量が０．５ｍｇ／Ｌ以上である白水をパルパーに添加する請求項６に記載の白水改質方法又は請求項６に記載の古紙パルプ製造方法。
【請求項８】
白水の残留塩素量が０．５〜１０．０ｍｇ／Ｌとなるようにモノクロラミン及び／又はモノブロラミンを連続添加する請求項１、３、４、５、６若しくは７に記載の白水改質方法又は請求項２、３、４、５、６若しくは７に記載の古紙パルプ製造方法。
【請求項９】
古紙パルプ製造工程の少なくとも一か所で白水の残留塩素量を測定し、前記残留塩素量が所定の値になった後、前記残留塩素量が前記所定の値を維持するようにモノクロラミン及び／又はモノブロラミンを白水に連続添加又は間欠添加する請求項１、３、４、５、６、７若しくは８に記載の白水改質方法又は請求項２、３、４、５、６、７若しくは８に記載の古紙パルプ製造方法。
【発明の詳細な説明】
【技術分野】
【０００１】
本発明は、古紙を主原料とする古紙パルプ製造工程における白水改質方法及び古紙パルプ製造方法に関する。
【背景技術】
【０００２】
近年、環境保護の点から、古紙を再利用した古紙パルプを使用することが広く求められており、印刷古紙の再利用の重要性が増している。一方、市場では家庭紙を含む紙製品に対して一定値以上の品質が要求されており、印刷古紙を再利用して製造された紙に対しても同等の品質が求められている。
ところで、古紙を再利用して紙を製造するにあたり、原料である古紙から古紙パルプを製造する工程を経るが、この古紙パルプは、新聞紙や雑誌等といった印刷古紙を原料としていることから、漂白の処理に手間とコストを要する一方で、得られるパルプの白色度が低い場合が多い。このため、より白色度の高い古紙パルプを低コストで効率よく製造する方法が求められている。
【０００３】
古紙パルプ製造における漂白方法としては、例えば、過酸化水素のみを用いた方法（例えば、特許文献１）や、過酸化水素を用いた酸化漂白と二酸化チオ尿素を用いた還元漂白とを組み合わせた方法（例えば、特許文献２）、モノクロラミン及び／又はモノブロラミン並びに過酸化水素と接触させる古紙パルプの漂白方法（例えば、特許文献３）等がある。
このように古紙パルプ製造における漂白方法において、過酸化水素漂白は一般的に用いられている。しかしながら、その漂白効果は古紙パルプ製造工場において差があり、常に一定の漂白効果が得られるものではなかった。
また、抄紙工程などの製紙工程水を殺菌する方法として特許文献４が知られている。これは、抄紙工程水などの製紙工程水を殺菌するために次亜塩素酸ナトリウムを使用する場合に、紙製品の白色度を向上させる目的で添加されている染料に影響することなく殺菌することのできる方法であるが、古紙パルプ製造工程における漂白については触れられていない。
【０００４】
ところで、一般に、古紙を主原料とする古紙パルプの製造工程（以下、ＤＩＰ系内ともいう。）のｐＨは、古紙パルプ製造の操業状況と古紙パルプ（以下、ＤＩＰともいう。）の品質に影響を与える重要なファクターである。そのため、従来から古紙パルプ製造工程内を適正なｐＨとするため、苛性ソーダ及び珪酸ソーダ等をＤＩＰ系内に定率で添加し、ｐＨ管理を行っている。
しかしながら、苛性ソーダ及び珪酸ソーダ等のｐＨ調整剤の添加はスケールの原因となり、配管や機壁等への影響が懸念されている。
【先行技術文献】
【特許文献】
【０００５】
【特許文献１】特開２００５−２４０１８８号公報
【特許文献２】特開２００６−４５７４５号公報
【特許文献３】特許第６０２３９５３号公報
【特許文献４】特許第４９１４１４６号公報
【発明の概要】
【発明が解決しようとする課題】
【０００６】
一定値以上の品質を備えた古紙パルプの製造には、漂白工程での漂白処理、及び古紙パルプ製造工程におけるｐＨ管理が必要であるが、漂白処理及びｐＨ管理において使用される薬品等の添加量及び効果を最適化することは困難であり、その解決が望まれている。
【０００７】
本発明は、過酸化水素漂白の効果を向上させ、さらにｐＨ管理のために添加する苛性ソーダ及び珪酸ソーダ等のｐＨ調整剤等の添加剤の添加量及びその効果を最適化することができる白水改質方法及び古紙パルプ製造方法を提供することを目的とする。
【０００８】
本発明者らは、主原料である古紙から古紙パルプを製造する古紙パルプ製造工程全体の調査を実施した。そして、同一工程であっても測定日によりｐＨが大きく変動しているケースがあること、また、ＤＩＰ系内における熟成タワー及びストックタワー等でｐＨが大きく低下しているケースがあることを見出した。
【０００９】
ところで、古紙パルプの製造工程では、回収パルプ及び回収水の循環使用の高度化が進み、ＤＩＰ系内の温度が一般的に４０〜６０℃となり細菌が繁殖しやすい条件となっている。
本発明者らは、実際にＤＩＰ系内の菌数を測定し、菌数が１０６〜７ＣＦＵ／ｍｌと高く、ほぼ飽和状態であることを確認した。さらに、熟成タワー及びストックタワー等のようにＤＩＰ系内において白水の滞留時間が長い工程では細菌が増殖し、古紙パルプ製造工程内で代謝物である有機酸が生成され、ｐＨの低下が生じるケースがあることを見出した。
【００１０】
本発明者らは、このような条件下においては、古紙パルプ製造工程内のｐＨの適正化を目的として添加される苛性ソーダ及び珪酸ソーダ等は、添加と同時に細菌等による消費が始まっており、本来の目的であるｐＨの適正化を達成するために多くの添加量が必要となっていると考えた。
さらに、本発明者らは、残留過酸化水素濃度の測定を行い、従来技術では、過酸化水素等はＤＩＰ系内に添加されると同時に分解が始まり、過酸化水素等による漂白を促進させる晒しタワーにおける過酸化水素等の残留濃度はごく低い値となっていることを見出した。
【００１１】
このような知見に基づき、本発明者らは鋭意研究を重ねた結果、従来、古紙パルプ製造工程において局所的に行ってきた漂白剤、ｐＨ調整剤及び殺菌剤等の添加剤の使用量及び効果を最適化するためには、これら添加剤の投入対象の１主成分である白水による影響を低減させることが重要であることを見出し、本発明を完成するに至った。
【課題を解決するための手段】
【００１２】
すなわち本発明は、主原料である古紙から古紙パルプを製造する工程における白水改質方法であって、古紙パルプ製造工程の少なくとも一箇所でモノクロラミン及び／又はモノブロラミンを白水に連続添加することを特徴とする白水改質方法である。
また、本発明は、主原料である古紙から古紙パルプを製造する古紙パルプ製造方法であって、古紙パルプ製造工程の少なくとも一箇所でモノクロラミン及び／又はモノブロラミンを白水に連続添加することを特徴とする古紙パルプ製造方法でもある。
上記モノクロラミン及び／又はモノブロラミンの濃度は、残留塩素量として０．５〜３０ｍｇ／Ｌであることが好ましい。
また、本発明は、白水のパルプ濃度が０．０３〜３０％である箇所の少なくとも一箇所でモノクロラミン及び／又はモノブロラミンを白水に連続添加することが好ましい。
本発明における古紙パルプ製造工程においては、白水を供給する白水供給ラインを一つ以上備え、少なくとも一箇所の白水供給ラインでモノクロラミン及び／又はモノブロラミンを白水に連続添加することが好ましい。
上記一つ以上の白水供給ラインは古紙パルプ製造工程におけるパルパー工程に白水を供給する白水供給ラインを含み、パルパー工程に白水を供給する白水供給ラインでモノクロラミン及び／又はモノブロラミンを白水に連続添加することが好ましい。
また、残留塩素量が０．５ｍｇ／Ｌ以上である白水をパルパーに添加することが好ましい。
また、本発明の白水改質方法又は古紙パルプ製造方法では、白水の残留塩素量が０．５〜１０ｍｇ／Ｌとなるようにモノクロラミン及び／又はモノブロラミンを連続添加することが好ましい。
また、本発明の白水の改質方法又は古紙パルプ製造方法では、古紙パルプ製造工程の少なくとも一箇所で白水の残留塩素量を測定し、上記残留塩素量が所定の値になった後、上記残留塩素量が上記所定の値を維持するように、モノクロラミン及び／又はモノブロラミンを白水に連続添加又は間欠添加することが好ましい。
以下、本発明を詳細に説明する。
【００１３】
本発明は、古紙パルプ製造工程の少なくとも一箇所でモノクロラミン及び／又はモノブロラミンを白水に連続添加する白水改質方法又は古紙パルプ製造方法である。
本発明における「白水」とは、古紙パルプ製造工程全体において使用される水のことをいい、例えば、古紙パルプ製造工程において、原料となる古紙を水と混合しながら機械力でパルプスラリーとする離解（パルパー）工程、古紙に含まれる異物を除去する粗選（除塵）工程、脱墨剤を加えてインキ成分を除去する脱墨工程、古紙に含まれる異物とパルプ分とをスクリーンで分離する精選工程、脱墨されたパルプスラリーを水洗する洗浄工程、及びパルプの脱水を行う脱水工程、漂白剤を加えてパルプの漂白を行う漂白工程等の各工程で用いられる水、及び排水される水を白水という。また、上記パルパー工程において原料である古紙と白水とが混合されたパルプスラリーが形成されるが、このパルプスラリーについてもパルプ成分を含有する白水であるため、本明細書においては白水と表現し、以下説明をする。さらに、抄紙工程等の別工程から再利用水として送水される水についても古紙パルプ製造工程で使用される水は全て白水という。
【００１４】
本発明の白水改質方法及び古紙パルプ製造方法において、モノクロラミン及び／又はモノブロラミンを白水に添加するとは、一又は複数の実施形態において、モノクロラミン及び／又はモノブロラミンを生成する薬品、モノクロラミン及び／又はモノブロラミンを含む薬品を使用することにより行うことができる。このような薬品としては、一又は複数の実施形態として、次亜塩素酸ナトリウムと、硫酸アンモニウム及び／又は臭化アンモニウムとを含む薬品等が挙げられる。モノクロラミンは、一又は複数の実施形態において、次亜塩素酸ナトリウムと、アンモニウム化合物とを混合することにより生成できる。モノブロラミンは、一又は複数の実施形態において、次亜臭素酸ナトリウムと、アンモニウム化合物とを混合することにより生成できる。アンモニウム化合物としては、一又は複数の実施形態において、硫酸アンモニウム、臭化アンモニウム、塩化アンモニウム、スルファミン酸アンモニウム、及びこれらの少なくとも２種以上の混合物等が挙げられる。次亜塩素酸ナトリウムとアンモニウム化合物とのモル比は、一又は複数の実施形態において、残留塩素と窒素とのモル比として１：１〜１：２、１：１．１〜１：２、１：１．２〜１：２、又は１：１．２〜１：１．６である。
【００１５】
ここで、上記モノクロラミンは結合塩素の一種であり、上記モノブロラミンは結合臭素の一種である。よって、ＯＣｌ−（Ｂｒ−）＋ＮＨ４＋→ＮＨ２Ｃｌ（Ｂｒ）＋Ｈ２Ｏのような反応で生成される穏やかな酸化剤である。古紙パルプ製造工程内（ＤＩＰ系内）のｐＨは通常９〜１１であるが、モノクロラミン（モノブロラミン）はこのｐＨ領域において安定な化合物である。
一方、多くの有機系スライムコントロール剤はアルカリ側で不安定であり、このような環境下での使用は適さない。また同じ酸化剤である次亜塩素酸ナトリウムもアルカリ側で安定だが、強い酸化力を有する遊離塩素が白水中の様々な夾雑物及び不純物等と容易に且つ瞬時に反応するため、多量に添加しなければ白水改質効果を発揮することができない。モノクロラミン及び／又はモノブロラミンは適度な酸化力、殺菌力、アルカリ側での安定性を有していることから古紙パルプ製造工程（ＤＩＰ工程）における白水の改質に適した化合物といえる。
【００１６】
なお、本発明において白水の改質とは、古紙パルプ製造工程における各工程（パルパー工程、除塵工程、脱墨工程、精選工程、洗浄・脱水工程及び漂白工程等）での機械処理及び薬品処理において、白水成分に起因する機械処理及び薬品処理の無駄な消費が生じない程度に白水の性質を向上及び改質させるものであり、所定箇所における白水のｐＨ値、酸化還元電位（ＯＲＰ）、菌数及び残留塩素量等の測定値を指標として判断することができる。
各指標における判断基準は、例えば、古紙パルプを原料に抄紙を行う抄紙工程で求められる古紙パルプの品質や、抄紙工程の最終生成物である紙に求められる品質を考慮したうえで適宜設定することができるが、例えば、過酸化水素晒タワーにおける薬品添加直後のｐＨであれば、好ましくは１０．０以上、より好ましくは１０．５以上、さらに好ましくは１１．０以上；古紙パルプ製造工程の少なくとも一箇所における酸化還元電位であれば、好ましくは、１００ｍＶ以上、より好ましくは２００ｍＶ以上、さらに好ましくは２５０ｍＶ以上；古紙パルプ製造工程の少なくとも一箇所における菌数であれば、好ましくは１０３ＣＦＵ／ｍｌ以下、より好ましくは１０２ＣＦＵ／ｍｌ以下、さらに好ましくは１０１ＣＦＵ／ｍｌ以下；古紙パルプ製造工程の少なくとも一箇所における残留塩素量であれば、好ましくは０．５ｍｇ／Ｌ以上、より好ましくは１．５ｍｇ／Ｌ以上、さらに好ましくは３．０ｍｇ／Ｌ以上となっている場合、白水が改質されたと判断することができる。
【００１７】
上記指標の測定箇所としては、例えば、漂白工程前、フローテーション工程、洗浄工程前等が挙げられる。製造される古紙パルプの品質に重要な影響を与える工程のためである。
また、上記指標のうち、残留塩素量及び／又は菌数は、古紙パルプ製造工程の白水ループ毎に少なくとも一箇所で測定されることがより好ましい。ここで、白水ループとは、古紙パルプ製造工程から抽出及び／又は排水される白水が白水ピットに貯蔵され、白水ピットに貯蔵された白水が上記古紙パルプ製造工程に供給されることで形成される白水の再循環系のことをいい、一つの白水ピットに対し一つの白水ループが形成される。なお、一つの白水ピットから複数の白水供給ラインを有する場合は、白水ピットから古紙パルプ製造工程の最上流側に白水を供給する最上流側白水供給ラインで形成される白水の再循環系を白水ループといい、上記最上流側白水供給ラインから分岐する白水供給ラインも上記白水ループの一部に含まれる。
【００１８】
モノクロラミン及び／又はモノブロラミンの濃度は、残留塩素量として（モノブロラミンの場合は残留塩素量換算値として）、０．５〜３０ｍｇ／Ｌであることが好ましく、１〜３０ｍｇ／Ｌがより好ましく、経済性の点から、１〜１０ｍｇ／Ｌ又は１〜５ｍｇ／Ｌが更に好ましい。
なお、本発明における「残留塩素量」の記載は、モノブロラミンである場合には「残留塩素量換算値」を意味する。
前記モノクロラミン及び／又はモノブロラミンの濃度は、一又は複数の実施形態において、ＤＩＰ系内における少なくとも一箇所における白水のｐＨ、酸化還元電位（ＯＲＰ）、菌数及び残留塩素量等の少なくとも一つの指標によって適宜決定できる。
【００１９】
本発明におけるモノクロラミン及び／又はモノブロラミンの白水への添加総量は、対パルプ量換算で、例えば、上限が２．０ｋｇ／ｔであることが好ましく、経済性の点から上限が１．５ｋｇ／ｔであることがより好ましい。
一方、古紙パルプ製造工程の複数箇所でモノクロラミン及び／又はモノブロラミンを白水に連続添加する場合、各箇所における添加量は、対パルプ量換算で０．５〜１．０ｋｇ／ｔであることが好ましい。
【００２０】
本発明において、パルプ濃度が、０．０３〜３０％である箇所の少なくとも一箇所でモノクロラミン及び／又はモノブロラミンを白水に添加することが好ましく、パルプ濃度が０．５〜２．０％である箇所であることが更に好ましい。
【００２１】
また、本発明における古紙パルプ製造工程は、白水を回収する白水回収ラインを一つ以上備えており、白水回収ラインは白水ピットに繋がれている。さらに、本発明における古紙パルプ製造工程は、白水を供給する白水供給ラインを一つ以上備えており、上記白水ピットから供給される白水及び／又は抄紙工程から再利用水として供給される白水が古紙パルプ製造工程の少なくとも一箇所に供給され、白水が循環使用されている。
ここで、古紙パルプ製造工程は、離解（パルパー）工程、粗選（除塵）工程、脱墨工程、精選工程、洗浄工程、脱水工程及び漂白工程等の各工程含み、各工程及びその前後の少なくとも一箇所において白水回収ライン及び／又は白水供給ラインを備えていることが好ましい。
本発明においては少なくとも一箇所の白水供給ラインでモノクロラミン及び／又はモノブロラミンを白水に連続添加することが好ましい。
この場合、洗浄工程、脱水工程及び漂白工程から回収された白水が貯蔵される白水ピットに繋がれる白水供給ラインの少なくとも一箇所でモノクロラミン及び／又はモノブロラミンを白水に連続添加することが好ましい。
また、本発明においては少なくとも一箇所の白水回収ラインでモノクロラミン及び／又はモノブロラミンを白水に連続添加することとしてもよい。
この場合、洗浄工程、脱水工程及び漂白工程に備えられた白水回収ラインの少なくとも一箇所でモノクロラミン及び／又はモノブロラミンを白水に連続添加することが好ましく、漂白工程に備えられた白水回収ラインでモノクロラミン及び／又はモノブロラミンを白水に連続添加することがより好ましい。
【００２２】
また、本発明において、一つ以上の白水供給ラインは古紙パルプ製造工程におけるパルパー工程に白水を供給する白水供給ラインを含むことが好ましい。
パルパー工程に添加される白水としては、例えば、洗浄工程、脱水工程及び／又は漂白工程で回収された白水を用いることが好ましい。白水中の残留塩素を有効利用できるためである。また、漂白工程で回収された白水を用いることがより好ましく、漂白工程を経ることで、白水におけるｐＨ値が向上し、パルパー工程においても白水改質効果を発揮するためである。
【００２３】
また、本発明において、残留塩素量が０．５ｍｇ／Ｌ以上である白水をパルパーに添加することが好ましい。白水の残留塩素量は、１．５ｍｇ／Ｌ以上であることがより好ましく、３．０ｍｇ／Ｌ以上であることが更に好ましい。
こうすることにより、古紙パルプ製造工程の第一段階であるパルパー工程から、用いられる白水を改質することができ、古紙パルプ製造工程全体の白水の改質に効果的である。
【００２４】
本発明の白水改質方法及び古紙パルプ製造方法では、例えば、漂白工程前、フローテーション工程、洗浄工程前において白水の残留塩素量を測定し、残留塩素量が０．５〜１０．０ｍｇ／Ｌとなるようにモノクロラミン及び／又はモノブロラミンを連続添加することが好ましく、残留塩素量が０．５〜５．０ｍｇ／Ｌとなるように連続添加することがより好ましい。
白水の残留塩素量が１．０ｍｇ／Ｌ以上であると細菌類の繁殖がほぼ抑制され、０．５ｍｇ／Ｌ以下であると細菌類の繁殖が進むためである。
【００２５】
本発明の白水改質方法及び古紙パルプ製造方法では、白水の残留塩素量が所定の値となるまでモノクロラミン及び／又はモノブロラミンを連続添加し、残留塩素量が前記所定の値となった後は、前記所定の値を維持するようにモノクロラミン及び／又はモノブロラミンを、白水に連続添加及び／又は間欠添加することが好ましい。
なお、上記所定の値は、例えば、古紙パルプを原料に抄紙を行う抄紙工程で求められる古紙パルプの品質や、抄紙工程の最終生成物である紙に求められる品質を考慮したうえで適宜設定することができるが、古紙パルプ製造工程の少なくとも一箇所における残留塩素量が、０．５〜１０．０ｍｇ／Ｌであることが好ましく、１．５〜８．０ｍｇ／Ｌであることがより好ましく、３．０〜５．０ｍｇ／Ｌであることがさらに好ましい。
ここで、連続添加とは、古紙パルプ製造工程の少なくとも一箇所、言い換えると白水の流路のうち少なくとも一箇所で、一定量のモノクロラミン及び／又はモノブロラミンを持続的に供給して添加することや、熟成タワーやストックタワーのように一定量のパルプスラリーすなわち白水が貯蔵又は保管される系内における白水に、一定量のモノクロラミン及び／又はモノブロラミンを持続的に供給して添加することを意味する。なお、持続的に供給するとは、古紙パルプ製造工程の少なくとも一箇所においてモノクロラミン及び／又はモノブロラミンを白水に供給し続けること、及び、供給と停止を繰り返す場合であっても供給と停止の間隔が３０分以内である場合は持続的に供給するという。
また、間欠添加（衝撃添加ともいう。）とは、古紙パルプ製造工程の少なくとも一箇所、言い換えると白水の流路のうち少なくとも一箇所で、一定量のモノクロラミン及び／又はモノブロラミンを３０分以上の間隔をあけて、所定時間毎に供給して添加することや、熟成タワーやストックタワーのように一定量のパルプスラリーが貯蔵又は保管される系内における白水に、一定量のモノクロラミン及び／又はモノブロラミンを３０分以上の間隔をあけて、所定時間毎に添加することを意味する。
【発明の効果】
【００２６】
上述のように本発明の白水改質方法及び古紙パルプ製造方法によれば、古紙パルプ製造工程全体で（循環）使用される白水のｐＨ値及び残留塩素量が向上し、酸化還元電位（ＯＲＰ）は、還元雰囲気から酸化雰囲気へ改善され、菌数の増加が抑制されるため、古紙パルプ製造工程の各工程（パルパー工程、除塵工程、脱墨工程、精選工程、洗浄・脱水工程及び漂白工程）における機械処理が効果的に行われ、更に各工程で用いられる脱墨剤、漂白剤、ｐＨ調整剤等の添加剤（薬品ともいう。）の添加量及び効果を最適化することができる。
なお、添加剤の添加量及び効果を最適化することができるとは、添加剤の効果が得られる範囲で添加剤の使用量を低減させることができることをいう。例えば、苛性ソーダ及び珪酸ソーダ等のｐＨ調整剤の使用は、スケールの原因となるために機械的な問題面を有し、さらに経済面からも使用量を抑えることが希望されている。一方、ｐＨ調整効果を発揮し得る程度の量を使用する必要がある。本発明によれば、古紙パルプ製造工程全体にわたって存在する白水を改質できるため、ｐＨ調整剤の使用量を抑えつつもｐＨ調整効果を得ることができる。他の添加剤についても同様である。また、本発明によれば、古紙パルプ製造工程全体にわたって存在する白水を改質できるため、各工程における機械処理及び薬品処理の効果が発揮されやすく、白色度及びパルプ純度の高い品質の良い古紙パルプを製造することができる。
【図面の簡単な説明】
【００２７】
【図１】図１は本発明が実施される古紙パルプ製造工程のブロック図である。
【図２】図２は本発明が実施される古紙パルプ製造工程のブロック図である。
【図３】図３は実施例１及び比較例１における各工程でのｐＨ変化を示すグラフである。
【図４】図４は実施例１及び比較例１における測定日毎のｐＨ変化を示すグラフである。
【図５】図５は実施例１及び比較例１における各工程での菌数変化を示すグラフである。
【図６】図６は実施例１及び比較例１におけるスクリーンバスケットのスケール付着状況を示す写真である。
【図７】図７は実施例１におけるフローテーター後の測定日毎の白色度を示すグラフである。
【図８−１】図８−１は実施例１及び比較例１におけるフローテーター後の疎水性物質（２３μｍ以下）の測定日毎の量変化を示すグラフである。
【図８−２】図８−２は実施例１及び比較例１におけるフローテーター後の疎水性物質（１５０μｍ以下）の測定日毎の量変化を示すグラフである。
【図９】図９は実施例１及び比較例１におけるパルパー後洗浄シートの測定日毎の白色度を示すグラフである。
【図１０】図１０は実施例１及び比較例１における晒タワー入り口での測定日毎の過酸化水素含有量を示すグラフである。
【発明を実施するための形態】
【００２８】
以下に本発明の実施形態を示し、更に具体的に説明するが、本発明はこれらに限定されるものではない。
【００２９】
図１に、古紙パルプの製造工程の一例を示す。図１に示す古紙パルプの製造工程は、パルパー１による離解工程と、熟成タワー２によるパルプスラリー貯蔵工程と、スクリーン３による粗選工程と、フローテーター４による脱墨工程と、晒タワー６による漂白工程と、ウォッシャー７による洗浄工程と、シックナー８による脱水濃縮工程とを含む。まず、原料である古紙はパルパー１に供給される。パルパー１において古紙を解きほぐしてスラリー状とするための離解工程が行われる。離解工程で得られたパルプスラリーは白水を含有し、スクリーン３において異物を除去するための粗選工程が行われる。粗選工程で異物が除去されたパルプスラリーは、フローテーター４に供給され、そこでパルプに付着したインクを剥離除去する脱墨工程が行われる。脱墨工程が行われたパルプスラリーは、ストックチェスト５ａに貯蔵され、晒タワー６に供給され、そこで過酸化水素漂白による漂白工程が行われる。漂白工程が行われたパルプスラリーは、ウォッシャー７による洗浄工程とシックナー８による脱水濃縮工程を経てた後、完成チェスト５ｂに貯蔵される。各工程で排出される白水は、白水回収ライン１０により回収され、白水ピット９に貯蔵される。
白水ピット９に回収された白水は、パルパー１、パルパー１と熟成タワー２とをつなぐ流路、晒タワー６とウォッシャー７とをつなぐ流路等に白水を供給するための白水供給ライン１１を介し、古紙パルプ製造工程へ供給され、再利用される。
【００３０】
本実施形態における白水改質方法及び古紙パルプ製造方法は、古紙パルプ製造工程の少なくとも一箇所でモノクロラミン及び／又はモノブロラミンを白水に連続添加することを含む。    
【００３１】
本実施形態において、モノクロラミン及び／又はモノブロラミンの少なくとも一箇所の添加場所としては、白水供給ライン１１ａ（図１の矢印Ａ）、１１ｂ（図１の矢印Ｂ）、１１ｃ（図１の矢印Ｃ）、ストックチェスト５ａの出口側流路（図１の矢印Ｄ）、熟成タワー２の出口側流路（図１の矢印Ｅ）等が挙げられる。
【００３２】
また、別の本実施形態において、モノクロラミン及び／又はモノブロラミンの少なくとも一箇所の添加場所としては、パルパー１から熟成タワー２における少なくとも一箇所（図２の矢印Ｆ）及び／又は熟成タワー２からシックナー８における少なくとも一箇所（図２の矢印Ｇ）等が挙げられる。
また、本実施形態においては、白水ループが二つ形成されており（図２の１３及び１４）、白水ループ毎に白水の残留塩素量を測定することが好ましい。
【００３３】
（実施形態１）
実施形態１における白水改質方法又は古紙パルプ製造方法は、古紙パルプ製造工程の少なくとも一箇所でモノクロラミン等を白水に連続添加する工程を含む。本実施形態１の白水改質方法又は古紙パルプ製造方法を行うことにより、古紙パルプ製造工程において（循環）使用される白水のｐＨ値及び残留塩素量が向上し、酸化還元電位（ＯＲＰ）は、還元雰囲気から酸化雰囲気へ改善され、菌数の増加が抑制される。これにより、各工程における機械処理及び薬品処理が好適化されるため、添加剤の使用量は減少するにもかかわらず、高品質の古紙パルプを得ることができる。
【００３４】
（実施形態２）
実施形態２における白水改質方法及び古紙パルプ製造方法は、古紙パルプ製造工程における少なくとも脱墨工程と漂白工程との間の流路のいずれかの箇所でモノクロラミン等を白水に連続添加する工程を含む。本実施形態２の白水改質方法又は古紙パルプ製造方法を行うことにより、古紙パルプ製造工程において（循環）使用される白水のｐＨ値及び残留塩素量が向上し、酸化還元電位（ＯＲＰ）は、還元雰囲気から酸化雰囲気へ改善され、菌数の増加が抑制される。これにより、各工程における機械処理及び薬品処理が好適化されるため、添加剤の使用量は減少するにもかかわらず、高品質の古紙パルプを得ることができる。
【００３５】
（実施形態３）
実施形態３における白水改質方法及び古紙パルプ製造方法は、古紙パルプ製造工程における少なくとも脱墨工程と漂白工程との間の流路のいずれかの箇所、及び、パルパー工程及び／又はパルパー工程の直後の流路に供給される白水供給ラインでモノクロラミン等を白水に連続添加する工程を含む。本実施形態３の白水改質方法又は古紙パルプ製造方法を行うことにより、古紙パルプ製造工程において（循環）使用される白水のｐＨ値及び残留塩素量が向上し、酸化還元電位（ＯＲＰ）は、還元雰囲気から酸化雰囲気へ改善され、菌数の増加が抑制される。これにより、各工程における機械処理及び薬品処理が好適化されるため、添加剤の使用量は減少するにもかかわらず、高品質の古紙パルプを得ることができる。
【００３６】
上記連続添加工程は、一又は複数の実施形態において、モノクロラミン等を白水に対し、残留塩素量として０．５〜３０ｍｇ／Ｌとなるように連続添加することを含み、１〜３０ｍｇ／Ｌとなるように連続添加することを含むことが好ましく、経済性の点から１〜１０ｍｇ／Ｌ又は１〜５ｍｇ／Ｌとなるように添加することを含むことが好ましい。
【００３７】
以下の実施例及び比較例に基いて本発明を説明するが、本発明はこれに限定されるものではない。
【実施例】
【００３８】
実機試験１：本試験はモノクロラミンを白水に連続添加することで白水を改質した例である。
（実施例１及び比較例１）
某製紙工場Ａにて試験を行った。
（試験運転条件）
当該製紙工場Ａでは、原料に印刷古紙を使用しており、従来白水の改質は行われておらず、古紙パルプ製造工程における各工程（パルパー工程、除塵工程、脱墨工程、漂白工程、洗浄・脱水工程等）において、機械処理及び／又は薬品処理が行われていた。従来は、古紙パルプ製造工程内のｐＨ管理を目的として、パルパー工程において苛性ソーダがパルプ量換算で３〜５ｋｇ／ｔ（純分換算）添加されていた。また、漂白工程では過酸化水素漂白が行われていた。
下記調製例１に記載の薬品を連続添加する前１カ月又は６カ月の特定の期間、連続しない任意の日を選択し、所定の箇所において白水のｐＨ、菌数、残留塩素量、疎水性物質量及び過酸化水素量等の測定を行った。その結果を下記表１、図３〜６及び８〜１０に比較例１として記載する。
（薬品の添加）
上記の運転条件において、脱墨工程と漂白工程との間の流路に下記調製例１に記載のモノクロラミンを白水にパルプ量換算で０．５〜１．０ｋｇ／ｔとなるように連続添加した。その後、５箇所において白水の残留塩素量の測定を１〜２回／日で行った。上記連続添加の開始から１０日程度で、上記測定箇所における白水の残留塩素量が０．５ｍｇ／Ｌ以上となっていることが確認され、白水が改質されたことを確認した。
上記薬品の連続添加開始後２カ月から３カ月の間で、連続しない任意の日を選択し、所定の箇所において白水のｐＨ、菌数、残留塩素量、疎水性物質量及び過酸化水素量等の測定を行った。その結果を下記表１及び図３〜１０に実施例１として示す。
表１は、パルプ製造工程の各工程におけるｐＨ、菌数及び残留塩素量の測定結果である。
【００３９】
（調整例１）次亜塩素酸ナトリウムと硫酸アンモニウムとの混合液の調製
次亜塩素酸ナトリウム溶液（残留塩素量：１４０ｋｇ／ｔ）を脱イオン水で残留塩素量が５ｋｇ／ｔになるように希釈した後、３０％硫酸アンモニウム水溶液（硫酸アンモニウム（キシダ化学株式会社製））３０ｋｇを脱イオン水で溶解し、全量を１００ｋｇとしたもの）と残留塩素と窒素とのモル比が１：１．２となるように調製した。
【００４０】
【表１】
2019026959.tif 000003
【００４１】
表１から、白水にモノクロラミンを連続添加することにより、白水が改質され、ｐＨ、菌数及び残留塩素量が改善されていることが分かった。
従来、パルパー工程に３〜５ｋｇ／ｔのｐＨ調整剤を添加していたため、比較例１のパルパー後のｐＨは、１０．２と高い数値を示しているが、その後熟成タワー後でｐＨは急激に下がり、白水ピットでは、７．６まで下がっている。一方、実施例１では、脱墨工程と漂白工程との間の流路でモノクロラミンを白水に連続添加したため、晒タワー前でのｐＨは１０．３と高くなっている。しかし、その後急激にｐＨが下がることなく、パルパー工程でｐＨ調整剤を添加していないにもかかわらず、熟成タワー後のｐＨは８．１であり、比較例１を上回っていた。
また、菌数に関しては、比較例１では、パルプ製造工程全体において、菌数が１０６〜７ＣＦＵ／ｍｌと高く、ほぼ飽和状態であるのに対し、実施例１では、パルプ製造工程全体において菌数が１０１ＣＦＵ／ｍｌ以下に抑制されていた。従来のようにバイオフィルム生成抑制を主目的とした衝撃添加ではないため、衝撃添加後のように細菌数が増加することがなく、低い値を維持していることが確認できた。
また、残留塩素量に関しては、比較例１では、パルプ製造工程全体において残留塩素が存在していないのに対し、実施例１では、パルプ製造工程全体において白水中の残留塩素量が１．５〜４．５ｍｇ／Ｌの範囲で存在していることが確認された。
【００４２】
また、図４によると、比較例１では、苛性ソーダ添加率を一定としても測定日毎にｐＨが変動していたが、実施例１では、測定日が異なってもｐＨが安定し、平均値が上昇した。
また、図６はスクリーンバスケットのスケール付着状況を示す写真である。比較例１の写真は、スクリーンバスケットをケーシングから出した直後のものであるが、スケールが付着し汚れている。しかし、モノクロラミンを白水に連続添加し１０日程度経過し、白水が改質されると、実施例１の写真が示すようにスケールが除去されている。これは、モノクロラミンを白水に連続添加することにより、白水中に存在するスケール粒子の肥大化が阻止され、小さい粒子のまま存在していることにより図られた。またＤＩＰ系内のスケールは、スライムと重なりあっていることが多いため、スライム除去によりスケール除去が図られた。同様に、洗浄機、シックナー・フィルターのワイヤー汚れが改善された。洗浄機に至っては、ワイヤー汚れにより水抜けが阻害されていたため、ドラム回転数を最大回転数である６０Ｈｚで運転せざるを得ない状況であったが、汚れが改善されたため、白水改質方法による処理の後は、ドラム回転数を１５Ｈｚまで下げることができた。
さらに、従来使用してきた汚れ防止薬品の使用及び定期的な洗浄が不要になり、洗浄効率の改善を図ることができた。また、シックナー・フィルターにおいても汚れが付かなくなったため、高圧洗浄・薬品洗浄が不要になった。
【００４３】
脱墨工程における脱墨方法は、フローテーション法と洗浄法がある。モノクロラミンを白水に連続添加する白水改質方法を行った後は、上記いずれの脱墨方法を行っても白色度が向上した。
洗浄法においては、上記のように洗浄機の汚れが改善されたことにより洗浄効率及び置換効率が改善され脱墨効率が改善された。
フローテーション法においては、白水改質方法を行った後は、図７から分るようにフローテーター後のパルプスラリーの白色度が向上した。
さらに図８−１及び図８−２から分かるように、白水改質方法による処理開始後２０日程度でフローテーター出口における白水中の疎水性物質が減少していることが確認できた。
白水中の疎水性物質が減少していることは、製造される古紙パルプの品質の良化を意味する。
酸化剤であるモノクロラミンを白水に連続添加すると、局所的に高濃度のモノクロラミンが生じ、フローテーターの発泡性・インク捕集性を阻害する物質(スライム，有機物など)と高濃度接触し、酸化分解される。この結果，インクの捕集性が改善された。また、夾雑物が酸化分解されるため、電気伝導度及びカチオンデマンドが低下した。
【００４４】
［白色度の評価］
脱墨工程では、白水に混合されるパルプ繊維からのインク剥離と繊維の離解も重要である。白水改質方法による処理では、モノクロラミンが白水に連続添加されることにより、古紙パルプ製造工程全体で用いられる白水が改質される。よって、パルパー工程にも改質された白水が添加されることになる。すなわち、残留塩素を含む酸化力のある白水が添加される。
当該製紙工場Ａにおいて、パルパー後原料をサンプリングし、水道水で十分洗浄し、遊離インクを完全除去した試験用手抄きシートを作製した。
【００４５】
得られた試験用手抄きシートについて、ＩＳＯ白色度を測定した。ＩＳＯ白色度の測定は、分光白色度計・色左計ＰＦ−１０（日本電飾工業株式会社性により行った。）その結果を下記表２に示す。白色度の単位は％である。
【００４６】
【表２】
2019026959.tif 000004
【００４７】
表２に示す通り、モノクロラミンを白水に連続添加し、白水が改質された後のパルパー後原料は、白水が改質される前のパルパー後原料と比較し、白色度が平均１．７ポイント向上し、図９によると、白色度は１〜２ポイント向上したことが確認できた。
離解促進のため、次亜塩素酸ソーダ及び過酸化水素をパルパーに添加するケースもあるが、一般的にパルパー工程では「アルカリ及び脱墨剤(界面活性剤)」で処理を行う。ここで、白水が改質されると、パルパー工程において「アルカリ、脱墨剤及び酸化剤」による処理が行われることとなり、未剥離インクも除去できたと考えられる。
【００４８】
［残過酸化水素の測定］
モノクロラミンを白水に連続添加する前後において、ＤＩＰ系内に過酸化水素が添加されニーダーで攪拌された直後であって過酸化水素晒しタワーに投入される直前の白水中の残過酸化水素量を測定した。その結果を図１０に示す。
【００４９】
図１０によると、モノクロラミンを白水に連続添加する前の比較例１では、ＤＩＰ系内に過酸化水素水が添加されニーダーで攪拌された直後に、白水中の残過酸化水素が検出されず、添加からわずか数分間で過酸化水素が急激に分解している状態であったことが確認された。
一方、モノクロラミンを白水に連続添加を開始した後から、徐々に白水中の残過酸化水素濃度が高くなり、最終的には添加された過酸化水素原単位と、ニーダーで攪拌された直後であって晒しタワー投入直前で検出された過酸化水素濃度からの理論値とがほぼあうようになり、過酸化水素の無駄な分解が抑制されていることが確認された。
【００５０】
［ＣＯＤの測定］
（実施例１〜６、比較例１〜６）
上記製紙工場Ａにおいて、モノクロラミンを白水に連続添加をする前後における排水のＣＯＤを測定した。
さらに、上記実施例と同様に他の製紙工場Ｂ〜Ｆにおいて、モノクロラミンを白水に連続添加する前後における排水のＣＯＤを測定した。測定結果を下記表３に示す。
なお、ＣＯＤの測定は、系外にオーバーフローしている白水を採取し、酸性高温過マンガン酸法（ＣＯＤＭｎ）を用いて実施した。
【００５１】
【表３】
2019026959.tif 000005
【００５２】
ＤＩＰ系内の少なくとも一箇所でモノクロラミンを白水に連続添加することにより、有機酸の生成が抑制され、また、ＤＩＰ系内におけるアルカリ使用量が削減された。よって、ＤＩＰ工程から発生するＣＯＤは、各工場における実機試験の結果を平均して約４０％削減できた。
【符号の説明】
【００５３】
１  パルパー
２  熟成タワー
３  スクリーン
４  フローテーター
５ａ  ストックチェスト
５ｂ  完成チェスト
５ｃ  チェスト
６  過酸化水素晒タワー
７  ウォッシャー
８  シックナー
９  白水ピット
１０  白水回収ライン
１１  白水供給ライン
１２  マシン
１３  白水ループ１
１４  白水ループ２
【図１】
2019026959.tif 000006
【図２】
2019026959.tif 000007
【図３】
2019026959.tif 000008
【図４】
2019026959.tif 000009
【図５】
2019026959.tif 000010
【図６】
2019026959.tif 000011
【図７】
2019026959.tif 000012
【図８−１】
2019026959.tif 000013
【図８−２】
2019026959.tif 000014
【図９】
2019026959.tif 000015
【図１０】
2019026959.tif 000016